(57)【要約】【課題】精度よく未使用部分の転写テープの切れ目を転写ヘッドに位置させる塗膜転写具を提供する。【解決手段】塗膜転写具１０は、供給ボビン駆動軸ギヤ部３２ａが設けられる供給ボビン駆動軸３と、巻取ボビン駆動軸３５と、巻取ボビン駆動軸３５の逆回転を阻止する逆転防止機構６と、供給ボビン駆動軸３と巻取ボビン駆動軸を回転連結する回転連結機構３０と、転写ヘッド２１を備え、転写ヘッド２１がケース本体５内に出没可能に形成される転写ヘッドユニット２０と、転写ヘッドユニット２０と連動して転写ヘッド２１の没入時には供給ボビン駆動軸ギヤ部３２ａと連結し、転写ヘッド２１の突出時には供給ボビン駆動軸ギヤ部３２ａとの連結が解除される中間ギヤ３１と、供給ボビン駆動軸３に設けられ、供給ボビン駆動軸ギヤ部３２ａからの回転力を接続及び遮断するクラッチ機構４と、を有する。【選択図】  図３
2018079605.tif 000002
【特許請求の範囲】
【請求項１】
未使用の転写テープが巻装される供給ボビンを駆動し、供給ボビン駆動軸ギヤ部が設けられる供給ボビン駆動軸と、
使用済みの前記転写テープが巻装される巻取ボビンを駆動する巻取ボビン駆動軸と、
前記巻取ボビン駆動軸の逆回転を阻止する逆転防止機構と、
前記供給ボビン駆動軸と前記巻取ボビン駆動軸を回転連結する回転連結機構と、
転写ヘッドを備え、前記転写ヘッドがケース本体内に出没可能に形成される転写ヘッドユニットと、
前記転写ヘッドユニットと連動して前記転写ヘッドの没入時には前記供給ボビン駆動軸ギヤ部と連結し、前記転写ヘッドの突出時には前記供給ボビン駆動軸ギヤ部との連結が解除される中間ギヤと、
前記供給ボビン駆動軸に設けられ、前記供給ボビン駆動軸ギヤ部からの回転力を接続及び遮断するクラッチ機構と、
を有することを特徴とする塗膜転写具。
【請求項２】
前記供給ボビン駆動軸は、筒状の軸部を備える第１供給ボビン駆動軸と、軸部を備える第２供給ボビン駆動軸と、を有し、
前記クラッチ機構は、前記第１供給ボビン駆動軸の軸部内に前記第２供給ボビン駆動軸の軸部が挿入されて形成されることを特徴とする請求項１に記載の塗膜転写具。
【請求項３】
リフィール交換式の塗膜転写具であって、前記クラッチ機構は前記塗膜転写具の本体側に設けられることを特徴とする請求項１又は請求項２に記載の塗膜転写具。
【発明の詳細な説明】
【技術分野】
【０００１】
本発明は、ケース本体内部に転写ヘッドを出没することができる塗膜転写具に関する。
【背景技術】
【０００２】
従来から、ケース本体内部に転写ヘッドを出没することができる塗膜転写具が提供されている。例えば、特許文献１に開示される塗膜転写具は、スライド機構により転写ヘッドを出没操作することができる。この塗膜転写具においては、転写ヘッドが突出状態から没入状態とされると、転写ヘッドと共に前後に移動するスライダーに設けられるラックが歯車を回動させる。この歯車は前後方向に遊動し、転写ヘッドが突出状態から没入状態となる場合には、供給ボビンを駆動する歯車と歯合して、供給ボビンを逆転させて、転写ヘッドがスライドした分の転写テープを巻き取らせる。このとき、供給ボビンと回転連結される巻取ボビンを駆動する歯車は、空回りする。そして、転写ヘッドが没入状態から突出状態となる場合には、遊動する歯車が前方に移動して、供給ボビンを駆動する歯車との歯合が解除される。巻取ボビンは逆転防止機構を備えている。従って、転写ヘッドの前進により転写テープが引っ張られて、供給ボビンが回転する。供給ボビンからは、転写ヘッドの没入時に巻き取った分の転写テープが送り出される。従って、転写ヘッドには、転写テープの未使用部分の切れ目が位置される。
【先行技術文献】
【特許文献】
【０００３】
【特許文献１】特開２００７−１３６９５９号公報
【発明の概要】
【発明が解決しようとする課題】
【０００４】
特許文献１に開示される塗膜転写具においては、転写ヘッドがスライドして没入する分の転写テープを供給ボビンに巻き取らせているので、転写テープを没入状態から突出状態としても、転写テープの未使用部分の切れ目が転写ヘッドに位置する。しかしながら、転写ヘッドの没入時の巻取量は、供給ボビンに巻装される未使用の転写テープの残量によって異なる。従って、転写ヘッドの転写ローラに対する転写テープの未使用部分の切れ目の位置が、未使用の転写テープの残量によって異なってしまう。すると、再使用時に転写テープの未使用部分の切れ目の位置を手動で調整する等、使用に際して煩雑な手順が必要になる場合がある。
【０００５】
本発明の目的は、精度よく未使用部分の転写テープの切れ目を転写ヘッドに位置させる塗膜転写具を提供する。
【課題を解決するための手段】
【０００６】
本発明に係る塗膜転写具は、未使用の転写テープが巻装される供給ボビンを駆動し、供給ボビン駆動軸ギヤ部が設けられる供給ボビン駆動軸と、使用済みの前記転写テープが巻装される巻取ボビンを駆動する巻取ボビン駆動軸と、前記巻取ボビン駆動軸の逆回転を阻止する逆転防止機構と、前記供給ボビン駆動軸と前記巻取ボビン駆動軸を回転連結する回転連結機構と、転写ヘッドを備え、前記転写ヘッドがケース本体内に出没可能に形成される転写ヘッドユニットと、前記転写ヘッドユニットと連動して前記転写ヘッドの没入時には前記供給ボビン駆動軸ギヤ部と連結し、前記転写ヘッドの突出時には前記供給ボビン駆動軸ギヤ部の連結が解除される中間ギヤと、前記供給ボビン駆動軸に設けられ、前記供給ボビン駆動軸ギヤ部からの回転力を接続及び遮断するクラッチ機構と、を有する。
【発明の効果】
【０００７】
本発明によれば、未使用の転写テープの切れ目の位置を精度よく転写ヘッドに位置させることができる。
【図面の簡単な説明】
【０００８】
【図１】本発明の実施形態に係る塗膜転写具の斜視図であり、（ａ）は転写ヘッドの没入状態を示し、（ｂ）は転写ヘッドの突出状態を示す。
【図２】本発明の実施形態に係る塗膜転写具のケース本体を開いた状態の斜視図であり、（ａ）はリフィールが装着された状態であり、（ｂ）はリフィールを取り外した状態を示す。
【図３】本発明の実施形態に係る塗膜転写具を左前下方から見た分解斜視図である。
【図４】本発明の実施形態に係る塗膜転写具を右後上方から見た分解斜視図である。
【図５】本発明の実施形態に係る塗膜転写具のリフィールを省略した左側面図であり、（ａ）は転写ヘッドの没入状態を示し、（ｂ）は転写ヘッドが没入又は突出の移行状態を示し、（ｃ）は転写ヘッドの突出状態を示す。
【図６】本発明の実施形態に係る塗膜転写具の右ケースを省略した右側面図であり、（ａ）は転写ヘッドが突出した状態を示し、（ｂ）は転写ヘッドの没入開始時状態を示す。
【図７】本発明の実施形態に係る塗膜転写具の右ケースを省略した右側面図であり、（ａ）は転写ヘッドが没入した状態を示し、（ｂ）は転写ヘッドの突出開始時状態を示す。
【図８】本発明の実施形態に係る塗膜転写具の図７のＶＩＩＩ−ＶＩＩＩ断面図である。
【発明を実施するための形態】
【０００９】
以下、図に基づいて本発明の実施形態を説明する。図１（ａ），（ｂ）は、本発明に係る塗膜転写具１０を示す斜視図である。塗膜転写具１０は、ケース本体５に設けられる出没操作部７を操作することにより、転写ヘッド２１をケース本体５の内部に没入させたり、開口部５ｅから突出させたり（図１（ａ），（ｂ）参照）することができる。なお、以下の説明においては、転写ヘッド２１が備えられる側を前とし、その反対側を後とする。また、塗膜転写具１０を後方から前方に向かって見たときの左側を左、右側を右、図１（ａ），（ｂ）における上側を上、下側を下として説明する。
【００１０】
塗膜転写具１０のケース本体５は、左ケース５１と右ケース５２が組み合わされて形成される。左ケース５１と右ケース５２は、ヒンジ部５ａで回動自在に連結される。図２（ａ），（ｂ）に示すように、ケース本体５は開くことができる。ケース本体５の内部には、リフィール８０が装着されている。塗膜転写具１０は、使用済みのリフィール８０を未使用のリフィール８０と交換することができる。ケース本体５の後方の上面は切り欠かれており、リフィール８０の上面の一部が露出される。
【００１１】
次に、図３及び図４を中心として適宜図５〜図８を参照して、塗膜転写具１０の構成を詳細に説明する。先ず、図３に主に示すように、左ケース５１は、前後に長い略シェル状に形成される。前端には、後述の右ケース５２の右開口部５２ｅと共に開口部５ｅを形成する左開口部５１ｅが切欠き状に形成される。左ケース５１の前端部の上面及び下面には、それぞれ係止孔５１ａ，５１ｂが形成される。左ケース５１の上面の後方には、リフィール８０の上面が露出するよう上面切欠部５１ｃが形成される。左ケース５１の前方側であって係止孔５１ａ，５１ｂの後方側の上面及び下面には、滑り止め用の複数の突条５１ｆ，５１ｇが形成される。
【００１２】
右ケース５２は、左ケース５１と同様に、前後に長い略シェル状に形成される。前端には左ケース５１の左開口部５１ｅと共に開口部５ｅを形成する右開口部５２ｅが切欠き状に形成される。右ケース５２の前端部の上縁及び下縁には、右ケース５２の内側に向けて板状部５２ａ１，５２ｂ１が立設する。そして、係止突起５２ａ，５２ｂは、それぞれ板状部５２ａ１，５２ｂ１に支持されて上方及び下方に突出する。右ケース５２の上面の後方には、リフィール８０の上面が露出するよう上面切欠部５２ｃが形成される。右ケース５２の前方側であって、係止突起５２ａ，５２ｂの後方側には、滑り止め用の突条５２ｆ，５２ｇが形成される。
【００１３】
右ケース５２の前端部内側面には、転写ヘッドユニット２０をガイドするユニットガイド５２ｈが設けられる。図５（ａ）〜（ｃ）に示すように、ユニットガイド５２ｈは、右ケース５２の前端上縁近傍に設けられる上ユニットガイド５２ｈ１と、前端下縁近傍に設けられる下ユニットガイド５２ｈ２からなる。上ユニットガイド５２ｈ１及び下ユニットガイド５２ｈ２は、それぞれ前後に長い略板状に形成され、右ケース５２の内側に向けて立設する。上ユニットガイド５２ｈ１及び下ユニットガイド５２ｈ２は、それぞれ後方側から順に、後角部５２ｈ１ａ，５２ｈ２ａ、平坦部５２ｈ１ｂ，５２ｈ２ｂ、前端面５２ｈ１ｃ，５２ｈ２ｃが形成される。
【００１４】
図４に示すように、右ケース５２の前端部側面には、前後に長い長孔５２ｉが形成される。図３に示す長孔５２ｉと対応する右ケース５２の内側面の位置には、前後に長く、上下方向に幅広の凹溝状のガイド溝５２ｊが形成される。また、右ケース５２の後方部内側面には、内側に向けて供給側支持軸５２ｋが立設する。供給側支持軸５２ｋとユニットガイド５２ｈとの間には、右ケース５２の内側面から内側に向けて巻取側支持軸５２ｌが立設する。供給側支持軸５２ｋと巻取側支持軸５２ｌとの間の右ケース５２の内側面には、内側に向けて伝達ギヤ支持軸５２ｍが立設する。また、右ケース５２における供給側支持軸５２ｋの下方の内側面には、前後に長い長孔状の溝として、右搖動軸ガイド溝５２ｎが形成される。
【００１５】
転写ヘッドユニット２０は、転写ローラ２１ａを備える転写ヘッド２１と、略縦板状に形成されるスライド部２２と、転写ヘッド２１とスライド部２２を接続する接続部２３と、スライド部２２の後端から後方に延在する鉤状部２４を備える。転写ヘッド２１は、板状の基部２１ｂの両端から突出する２つの支持部２１ｃを備えて、この２つの支持部２１ｃに転写ローラ２１ａが回転自在に支持されている。
【００１６】
スライド部２２には、平面を左右方向に向けた略板状のスライド本体部２２ａが形成される。このスライド本体部２２ａには、前端部の上側と下側からそれぞれ前方に向けて片持ち梁状に延設されるスライド係合部２２ｂ，２２ｃが形成される。スライド係合部２２ｂ，２２ｃは弾発力を有し、自由端とされる前端が、上下方向に弾発され移動可能とされる。図５（ａ）〜（ｃ）に示すように、スライド係合部２２ｂ，２２ｃの前端には、それぞれ上方又は下方に向かう傾斜面２２ｂ１，２２ｃ１が形成される。スライド係合部２２ｂ，２２ｃには、傾斜面２２ｂ１，２２ｃ１の上下それぞれの頂部と連続する平坦面２２ｂ２，２２ｃ２が形成される。そして、平坦面２２ｂ２，２２ｃ２の後端には、１段落ち込む段部面２２ｂ３，２２ｃ３が形成される。
【００１７】
スライド本体部２２ａは、各スライド係合部２２ｂ，２２ｃの後端を連結する接続基部２２ｄから縦板状に形成される。スライド本体部２２ａの後端縁面は、第１当接部２２ａ１とされている。スライド本体部２２ａの後端からは、鉤状部２４が後方に向けて延設される。鉤状部２４の膨出した膨出部２４ａの後端上側にはＣ面取り状に切り欠かれた傾斜部２４ｂが形成される。膨出部２４ａの前端縁面は、第２当接部２４ｃとされている。
【００１８】
そして、転写ヘッド２１とスライド部２２とは、略横板状の接続部２３により接続されている。転写ヘッドユニット２０の前方側の右側面には、略縦板状のスライド駒７１が設けられている。スライド駒７１の前端上縁及び下縁には、内側面側にブロック状に立設する押圧部７１ａ，７１ｂが形成される。上側の押圧部７１ａからは、下方前方に延びるクッションバー７１ｃが形成される。さらに、クッションバー７１ｃの後方には、内側面側に略板状に立設するユニット係合部７１ｄが平面を前後方向に向けて形成される。ユニット係合部７１ｄの後方には、外周にＵ字状の壁部が設けられる係合孔７１ｅが形成される。
【００１９】
スライド駒７１は、右側面が、右ケース５２のガイド溝５２ｊの底部と摺接する。従って、スライド駒７１は、ガイド溝５２ｊにより前後にガイドされる。そして、クッションバー７１ｃの右側面はガイド溝５２ｊと摺接し、クッションバー７１ｃの左側面は転写ヘッドユニット２０の接続部２３の右側面に形成されるバー押え２３ａにより左方向のブレが規制される。そして、ユニット係合部７１ｄの前面が、バー押え２３ａの背面と係合（当接）することで、転写ヘッドユニット２０を没入状態から突出状態にスライドさせる。出没操作部７は、出没操作部７の左側面から立設する二股柱状の駒係止部７ａが、右ケース５２の右方外側から長孔５２ｉを介してスライド駒７１の係合孔７１ｅに挿入されて、スライド駒７１に係止される。
【００２０】
中間ギヤ３１は、板状の略Ｌ字状に形成される。中間ギヤ３１のラック部３１ａは前後方向に延在する。ラック部３１ａのギヤ歯はラチェットギヤ（ラチェット爪）とされている。ラック部３１ａの前端からは、ラック部３１ａの延在方向と交わる方向である下方に向けて突出する当接突出部３１ｂが形成される。当接突出部３１ｂの基端部（換言すれば、ラック部３１ａの前端部）には、左右に搖動軸３１ｃ，３１ｄが突出して形成される。また、ラック部３１ａの後端には、下方に円弧状に突出する突出部３１ｅが形成される。
【００２１】
中間ギヤ３１は、左右の搖動軸３１ｃ，３１ｄが、それぞれ右ケース５２の右搖動軸ガイド溝５２ｎ及び後述のギヤベース３３の左搖動軸ガイド孔３３ａにより形成されるガイド部９で前後方向に移動自在に、かつ、搖動自在にガイドされる。そして、略板状に形成される中間ギヤ３１は、スライド本体部２２ａ及び鉤状部２４と略同一平面に配置されて、第１当接部２２ａ１及び第２当接部２４ｃが当接突出部３１ｂと当接可能状態となっている。
【００２２】
第２供給ボビン駆動軸３２は、略筒状に形成されて、供給側支持軸５２ｋにより回転自在に支持される。第２供給ボビン駆動軸３２は、後述の第１供給ボビン駆動軸３７と共に供給ボビン駆動軸３を形成する。第２供給ボビン駆動軸３２の右側面には、供給ボビン駆動軸ギヤ部３２ａが形成される。供給ボビン駆動軸ギヤ部３２ａのギヤ歯は、ラチェットギヤとされている。そして、供給ボビン駆動軸ギヤ部３２ａは、中間ギヤ３１のラック部３１ａと歯合可能に配置される。
【００２３】
また、供給ボビン駆動軸ギヤ部３２ａの反対側には、フランジ部３２ｂを介して、筒状軸部３２ｃが形成される。筒状軸部３２ｃの外周面におけるフランジ部３２ｂ上には、３つの突起３２ｃ１が形成される。この突起３２ｃ１は、供給ボビン伝達ギヤ３６の孔部の周面と摺接する。そして、筒状軸部３２ｃの外周面における突起３２ｃ１と連続した軸方向には、突起３２ｃ１よりも高さが低い圧入リブ３２ｃ２が形成される。また、筒状軸部３２ｃの先端は、環状の端面に３つの凸部と凹部が形成される環状凹凸部３２ｄとされている。
【００２４】
スライド本体部２２ａ及び中間ギヤ３１の左側面側には、略平板状のギヤベース３３が配置される。具体的には、ギヤベース３３は、右ケース５２の内側面に立設する複数のリブに支持されるとともに、同様に立設する複数のボスに固定される。ギヤベース３３の後側には、供給側支持軸５２ｋ及び第２供給ボビン駆動軸３２の筒状軸部３２ｃが挿通する供給側孔３３ｂが形成される。供給側孔３３ｂの下方には、左搖動軸ガイド孔３３ａが形成される。左搖動軸ガイド孔３３ａは、前後方向に長い長孔状に形成される。左搖動軸ガイド孔３３ａの前端部には、係止突起３３ａ１が形成される。これにより、中間ギヤ３１の左側の搖動軸３１ｃが係脱されるので、転写ヘッド２１の出没操作時においてクリック感を得ることができる。
【００２５】
供給側孔３３ｂの前方側には、巻取側支持軸５２ｌ及び伝達ギヤ支持軸５２ｍが挿通されるギヤ開口部３３ｃが形成される。ギヤ開口部３３ｃは、前後方向に長い略長方形状とされている。ギヤ開口部３３ｃの下側には、後方から前方に向けて片持ち梁状に係止爪梁３３ｄが形成される。係止爪梁３３ｄの自由端である前端部には、上方に向けて係止爪３３ｄ１が形成される。
【００２６】
伝達ギヤ３４は、伝達ギヤ支持軸５２ｍにより回転自在に支持される。巻取ボビン駆動軸３５は、略筒状に形成されて、巻取側支持軸５２ｌに回転自在に支持される。巻取ボビン駆動軸３５の右側面には、２段ギヤが形成されており、外側がラチェットギヤ部３５ａとされて、内側が巻取ボビン伝達ギヤ部３５ｂとされている。巻取ボビン伝達ギヤ部３５ｂは、伝達ギヤ３４と歯合する。ラチェットギヤ部３５ａは、ギヤベース３３の係止爪３３ｄ１と歯合して、巻取ボビン駆動軸３５における巻取方向と反対の回転を阻止する。すなわち、図６及び図７にも示すように、ラチェットギヤ部３５ａと係止爪梁３３ｄの係止爪３３ｄ１と、により逆転防止機構６が形成される。
【００２７】
巻取ボビン駆動軸３５におけるラチェットギヤ部３５ａ（巻取ボビン伝達ギヤ部３５ｂ）と反対側には、巻取ボビン挿入筒部３５ｃが形成されている。巻取ボビン挿入筒部３５ｃの外周には、軸方向に長い係合リブ３５ｃ１が複数形成されている。
【００２８】
供給ボビン伝達ギヤ３６は、ギヤベース３３の左側に位置すると共に供給側支持軸５２ｋに回転自在に支持される。供給ボビン伝達ギヤ３６は、伝達ギヤ３４と歯合する。供給ボビン伝達ギヤ３６の軸孔周りには、環状凹部３６ａが形成されている。
【００２９】
供給ボビン駆動軸３と巻取ボビン駆動軸３５を回転連結する回転連結機構３０は、供給ボビン伝達ギヤ３６、伝達ギヤ３４、巻取ボビン伝達ギヤ部３５ｂにより形成される。
【００３０】
第１供給ボビン駆動軸３７は、略筒状の軸部３７ａを備える。軸部３７ａの右側は開口され、左側には孔が開けられている。軸部３７ａの基端部外周には、片持ち梁状に３本の円弧状梁３７ｂが形成されている。また、軸部３７ａの外周には、軸方向に長い係合リブ３７ｃが複数形成される。第１供給ボビン駆動軸３７は、供給側支持軸５２ｋに回転自在に支持されると共に、供給ボビン伝達ギヤ３６の環状凹部３６ａの外周壁３６ａ１に円弧状梁３７ｂの先端部が圧接する。この圧接により、供給ボビン８２の回転力を、第１供給ボビン駆動軸３７（供給ボビン駆動軸３）を介して供給ボビン伝達ギヤ３６に伝達又は解除する駆動クラッチ機構８が形成される。
【００３１】
ここで、第１供給ボビン駆動軸３７における軸部３７ａには、第２供給ボビン駆動軸３２の筒状軸部３２ｃが挿入される。そして、第１供給ボビン駆動軸３７における軸部３７ａの内周面と第２供給ボビン駆動軸３２の筒状軸部３２ｃの外周部（外周面）とにより、クラッチ機構４が形成される。
【００３２】
より詳細には、図８に示すように、第１供給ボビン駆動軸３７の軸部３７ａの筒状内周面は、大径部３７ａ１と小径部３７ａ２により段部３７ａ３が形成され、この段部３７ａ３に第２供給ボビン駆動軸３２の筒状軸部３２ｃの先端部である環状凹凸部３２ｄが突き当てられる。このとき、筒状軸部３２ｃの外周に形成される圧入リブ３２ｃ２は、大径部３７ａ１の内周面により圧接される。第１供給ボビン駆動軸３７と第２供給ボビン駆動軸３２が相対的に回転するときの回転力であるクラッチ機構４のクラッチ力は、圧入リブ３２ｃ２が大径部３７ａ１の内周面を圧接する力、すなわち圧入リブ３２ｃ２と大径部３７ａ１とが圧接する長さによって決まる。そして、筒状軸部３２ｃの先端部の環状凹凸部３２ｄは、その凹凸形状によりバネ性を有する。よって、環状凹凸部３２ｄが段部３７ａ３に突き当てられると、環状凹凸部３２ｄの凸部が圧縮されたり内径方向に変形したりする。従って、筒状軸部３２ｃが大径部３７ａ１へ挿入される挿入量を調節することができる。これにより、圧入リブ３２ｃ２の挿入量（すなわち、圧入リブ３２ｃ２と大径部３７ａ１とが圧接する長さ）が調節されて、クラッチ力を調節することができる。従って、部品の製造誤差に関わらず、クラッチ機構４のクラッチ力を一定とすることができる。
【００３３】
リフィール８０は、リフィールケース８１を備える。リフィールケース８１の上面前方には、左右方向に突条８１ａが形成されて、ケース本体５から上面切欠部５１ｃ，５２ｃを介して露出した際に突条５１ｆ，５２ｆと同様に配置されて滑り止めになる。リフィールケース８１の上面及び下面の前端からは、それぞれ平板状の支持プレート８１ｂ，８１ｃが前方に向けて延設される。転写テープＴは、支持プレート８１ｂ、８１ｃの先端で支持される。上側の支持プレート８１ｂの先端は、下側の支持プレート８１ｃの先端よりも前方に位置している。支持プレート８１ｂ，８１ｃには、テープガイド８１ｂ１，８１ｃ１が立設する。
【００３４】
リフィールケース８１には、未使用の転写テープＴが巻装される供給ボビン８２と、使用済みの転写テープＴが巻装される巻取ボビン８３が回転自在に設けられる。未使用の転写テープＴは、供給ボビン８２の下側から送り出されて、下側の支持プレート８１ｃから上側の支持プレート８１ｂを介して、巻取ボビン８３の上側から巻取ボビン８３に巻き取られる。供給ボビン８２の内周面には、軸方向に長い係合リブ８２ａが周面周りに複数設けられている。同様に、巻取ボビン８３の内周面にも、係合リブ８３ａが複数設けられている。
【００３５】
塗膜転写具１０にリフィール８０が装着されると、第１供給ボビン駆動軸３７の軸部３７ａが供給ボビン８２に挿入され、第１供給ボビン駆動軸３７及び供給ボビン８２の係合リブ３７ｃ，８２ａ同士が係合して、第１供給ボビン駆動軸３７と供給ボビン８２は軸回りに相対的に固定される。同様に、巻取ボビン８３には巻取ボビン駆動軸３５が挿入されて、係合リブ３５ｃ１，８３ａ同士が係合して、巻取ボビン駆動軸３５と巻取ボビン８３は軸回りに相対的に固定される。
【００３６】
次に、図５（ａ）〜（ｃ）に基づいて、転写ヘッド２１の出没操作時におけるスライド駒７１及びスライド部２２の先端部の動作について説明する。
【００３７】
図５（ａ）に示すように、転写ヘッド２１が没入状態から出没操作部７を前方に移動させて、バー押え２３ａの背面とユニット係合部７１ｄの前面を当接させる。そして、出没操作部７を前方に移動させ続けると、スライド係合部２２ｂ，２２ｃの傾斜面２２ｂ１，２２ｃ１が、それぞれ、上ユニットガイド５２ｈ１及び下ユニットガイド５２ｈ２の後角部５２ｈ１ａ，５２ｈ２ａと当接する。さらに出没操作部７を前方に移動させ続けると、図５（ｂ）に示すように、スライド係合部２２ｂ，２２ｃが互いに接近するように弾発されて、平坦面２２ｂ２，２２ｃ２が上ユニットガイド５２ｈ１及び下ユニットガイド５２ｈ２の平坦部５２ｈ１ｂ、５２ｈ２ｂと摺接する。
【００３８】
さらに出没操作部７を前方に移動させ続けると、図５（ｃ）に示すように、スライド係合部２２ｂ，２２ｃが復元して、段部面２２ｂ３，２２ｃ３が上ユニットガイド５２ｈ１及び下ユニットガイド５２ｈ２の前端面５２ｈ１ｃ，５２ｈ２ｃに位置し、係合する。突出操作の際には、転写テープＴは、転写ヘッド２１の転写ローラ２１ａにより引っ張られるが、巻取ボビン駆動軸３５が逆転防止機構６により逆転が規制されているので、供給ボビン８２のみが転写テープＴの送り方向に回転して、転写テープＴが送り出される。
【００３９】
なお、出没操作部７の前方への移動を勢いよく行った場合には、ガイド溝５２ｊの前端の段部とクッションバー７１ｃが当接してクッションバー７１ｃが弾発されるので、出没操作部７の操作感覚を良好なものとすることができる。
【００４０】
塗膜転写具１０は、このように転写ヘッド２１を突出させて使用する。このとき、段部面２２ｂ３，２２ｃ３と上ユニットガイド５２ｈ１、下ユニットガイド５２ｈ２の前端面５２ｈ１ｃ，５２ｈ２ｃとの係合により、使用時における転写ヘッド２１からの押圧力を受けることができる。そして、塗膜転写具１０による転写テープＴの転写操作により、供給ボビン８２から未使用の転写テープＴが送り出され、転写ローラ２１ａにより塗膜が紙面等に転写されて、巻取ボビン８３により使用済みのテープが巻き取られる。このとき、巻取ボビン８３の巻取量は、常に供給ボビン８２の送り量よりも多くなるよう回転連結機構３０の各ギヤ（供給ボビン伝達ギヤ３６、伝達ギヤ３４、巻取ボビン伝達ギヤ部３５ｂ）の歯数が設定される。そして、この送り量と巻取量との差は、駆動クラッチ機構８により調節される。従って、転写テープＴには常に適切な張力が掛かり、転写テープＴの弛み等が低減される。
【００４１】
塗膜転写具１０の使用後、没入操作をする場合には、出没操作部７を後退させると、スライド駒７１も後退し、押圧部７１ａ，７１ｂが傾斜面２２ｂ１，２２ｃ１を押圧することで、スライド係合部２２ｂ，２２ｃが互いに接近する。すると、段部面２２ｂ３，２２ｃ３と上ユニットガイド５２ｈ１、下ユニットガイド５２ｈ２の前端面５２ｈ１ｃ，５２ｈ２ｃの係合が解除されて、図５（ｂ）の状態を経て、図５（ａ）のように転写ヘッド２１が没入される。
【００４２】
没入操作の際には、転写テープＴは、転写ヘッド２１の後退ストロークの分だけ巻き取られる。この没入操作時の転写テープＴの巻取について、図６（ａ），（ｂ）に基づいて説明する。
【００４３】
図６（ａ）は、塗膜転写具１０の使用時（すなわち、転写ヘッド２１の突出状態）を示す。塗膜転写具１０の使用後、出没操作部７を後方に移動させると、スライド駒７１を介して転写ヘッドユニット２０も後方移動が開始される。すると、スライド部２２のスライド本体部２２ａにおける第１当接部２２ａ１が中間ギヤ３１の当接突出部３１ｂの前縁面に当接する。第１当接部２２ａ１の当接突出部３１ｂの前縁面への当接は、搖動軸３１ｃ，３１ｄよりも下方に亘っているので、中間ギヤ３１は、ラック部３１ａが供給ボビン駆動軸ギヤ部３２ａに接近する方向（図６における時計回りの方向）に搖動軸３１ｃ，３１ｄ回りに搖動する。中間ギヤ３１が搖動すると、ラック部３１ａと供給ボビン駆動軸ギヤ部３２ａは歯合する。そして、さらに出没操作部７が後方に移動すると、ラック部３１ａも後方に移動し、供給ボビン駆動軸ギヤ部３２ａが回転する。供給ボビン駆動軸ギヤ部３２ａが回転して第２供給ボビン駆動軸３２が回転すると、クラッチ機構４を介して第１供給ボビン駆動軸３７も回転する。第１供給ボビン駆動軸３７が回転すると、供給ボビン８２が回転して、転写ヘッド２１の後退と連動して、すなわち、転写ヘッドユニット２０の後退と連動して、後退した分の転写テープＴを巻き取る。このとき、巻取ボビン８３は逆転防止機構６により逆転が規制されている。このとき、駆動クラッチ機構８が作動するので、供給ボビン伝達ギヤ３６は回転せず、第１供給ボビン駆動軸３７と供給ボビン伝達ギヤ３６は相対的に回転する。
【００４４】
また、転写ヘッド２１の突出操作時の中間ギヤ３１の動作は以下のようになる。図７（ａ）に示すように、転写ヘッド２１が没入した塗膜転写具１０を使用する場合には、出没操作部７を前方に移動させる。すると、スライド駒７１を介して転写ヘッドユニット２０も前方への移動が開始される。すると、図７（ｂ）に示すように、鉤状部２４の第２当接部２４ｃ（より詳細には、第２当接部２４ｃの角部２４ｃ１）が当接突出部３１ｂの後縁面に当接する。第２当接部２４ｃの当接突出部３１ｂの後縁面への当接部位は、搖動軸３１ｃ，３１ｄの下方に位置しているので、中間ギヤ３１は、供給ボビン駆動軸ギヤ部３２ａとラック部３１ａが離間する方向（図７（ｂ）において反時計回りの方向）に搖動軸３１ｃ，３１ｄ回りに搖動する。図７（ｂ）の状態で出没操作部７を前方に移動させ続けると、供給ボビン駆動軸ギヤ部３２ａとラック部３１ａの歯合は解除されているので、転写ローラ２１ａにより引っ張られた転写テープＴは供給ボビン８２から送り出される。
【００４５】
なお、このとき、中間ギヤ３１の突出部３１ｅは、鉤状部２４の傾斜部２４ｂに当接されるので、中間ギヤ３１の供給ボビン駆動軸ギヤ部３２ａとラック部３１ａが離間する方向の搖動が規制される。従って、中間ギヤ３１の搖動ストロークを最小限とすることができるので、中間ギヤ３１の応答性を良くすることができる。また、供給ボビン駆動軸ギヤ部３２ａとラック部３１ａはラチェットギヤで形成されるので、転写ヘッド２１の突出時における供給ボビン駆動軸ギヤ部３２ａとラック部３１ａの歯合を確実に解除することができる。
【００４６】
また、中間ギヤ３１の搖動軸３１ｃ，３１ｄは、前後に長いガイド部９（左搖動軸ガイド孔３３ａ、右搖動軸ガイド溝５２ｎ）によりガイドされるので、搖動軸３１ｃ，３１ｄの支持と中間ギヤ３１のガイドを兼ね備えて、コンパクトな構成とすることができる。
【００４７】
このように、転写ヘッド２１の没入時における転写テープＴの巻取を、転写ヘッドユニット２０の後退と同調する中間ギヤ３１のラック部３１ａ及び供給ボビン８２と回転連結する供給ボビン駆動軸ギヤ部３２ａにより行うこととした。そして、中間ギヤ３１や転写ヘッドユニット２０のスライド部２２を板状に形成できるので、簡単で省スペースな構成の塗膜転写具１０とすることができる。
【００４８】
そして、塗膜転写具１０は、ケース本体５側に転写ヘッド２１や回転連結機構３０を備えられる。これにより、交換後廃棄されるリフィール８０に搭載される部品を少なくできるので、無駄のない塗膜転写具１０を提供することができる。
【００４９】
また、転写テープＴの巻き戻し時において、クラッチ機構４は、以下のように動作する。
【００５０】
供給ボビン８２の一回転当たりの転写テープＴの巻き戻し量は、供給ボビン８２に巻装される未使用の転写テープＴの残量により異なる。具体的には、供給ボビン８２に巻装される未使用の転写テープＴの残量が多い場合（すなわち、供給ボビン８２における転写テープＴの外径が大きい場合）には、少ない場合（すなわち、供給ボビン８２における転写テープＴの外径が小さい場合）よりも巻き戻し量が多くなる。そこで、本実施形態においては、第１供給ボビン駆動軸３７と第２供給ボビン駆動軸３２との間にクラッチ機構４を備えることにより、供給ボビン８２に巻装される未使用の転写テープＴの残量に関わらず、供給ボビン８２の巻き戻し量を一定としている。これにより、供給ボビン８２に巻装される未使用の転写テープＴの残量に関わらず、転写ヘッド２１の出没操作を行っても、常に未使用の転写テープＴの塗膜の切れ目を転写ローラ２１ａに位置させることができる。
【００５１】
具体的には、例えば、転写ヘッド２１の後退ストロークが１０ｍｍである場合には、供給ボビン駆動軸ギヤ部３２ａ及びラック部３１ａの歯数の設定を、供給ボビン８２が転写テープＴを巻装していない状態において転写テープＴを１０ｍｍ巻き戻せるものとする。すなわち、供給ボビン８２における転写テープＴの外径が一番小さい状態における供給ボビン８２の巻き戻し量が１０ｍｍとなるよう供給ボビン駆動軸ギヤ部３２ａ及びラック部３１ａの歯数を設定する。
【００５２】
このように設定することで、供給ボビン８２に未使用の転写テープＴが多く巻装されている初期状態においては、例えば１５ｍｍ巻き戻してしまうとする。この場合であっても、中間ギヤ３１（ラック部３１ａ）の後方への移動中に、巻取ボビン駆動軸３５の逆転防止機構６により転写テープＴにテンションが掛かかってクラッチ機構４が作動して、適宜供給ボビン８２及び第１供給ボビン駆動軸３７に対して第２供給ボビン駆動軸３２が相対的に回転する。従って、供給ボビン８２の巻き戻し量は１０ｍｍとなる。このようにして、供給ボビン８２に巻装される未使用の転写テープＴの残量に関わらず、転写テープＴの巻き戻し量を一定とすることができる。すると、供給ボビン８２に巻装される未使用の転写テープＴの残量に関わらず、常に転写テープＴの塗膜の切れ目が転写ローラ２１ａに位置させることができる。
【００５３】
以上、本発明の実施形態を説明したが、本発明は本実施形態によって限定されることなく、種々の形態で実施することができる。例えば、本実施形態における塗膜転写具１０は、転写テープＴとして修正テープを備えているが、これに限られることなく、テープ糊等の種々の塗膜転写テープを用いることができる。また、中間ギヤ３１は、略Ｌ字形の板状としたが、これに限られず、従来から開示されるように、転写ヘッドユニット２０の前後動と共に移動する歯車等、種々の形式を採用することができる。また、クラッチ機構４は、本実施形態のように筒状の軸部内に他方の軸が挿入される形式であれば簡単な構造で形成することができるが、摩擦板や別途形成した弾性部材の押し当て等の他の形式のクラッチ機構とすることもできる。
【符号の説明】
【００５４】
３          供給ボビン駆動軸                ４          クラッチ機構
５          ケース本体                      ５ａ        ヒンジ部
５ｅ        開口部                          ６          逆転防止機構
７          出没操作部                      ７ａ        駒係止部
８          駆動クラッチ機構                ９          ガイド部
１０        塗膜転写具                      ２０        転写ヘッドユニット
２１        転写ヘッド                      ２１ａ      転写ローラ
２１ｂ      基部                            ２１ｃ      支持部
２２        スライド部                      ２２ａ      スライド本体部
２２ａ１    第１当接部                      ２２ｂ      スライド係合部
２２ｂ１    傾斜面                          ２２ｂ２    平坦面
２２ｂ３    段部面                          ２２ｃ      スライド係合部
２２ｃ１    傾斜面                          ２２ｃ２    平坦面
２２ｃ３    段部面                          ２２ｄ      接続基部
２３        接続部                          ２３ａ      バー押え
２４        鉤状部                          ２４ａ      膨出部
２４ｂ      傾斜部                          ２４ｃ      第２当接部
２４ｃ１    角部                            ３０        回転連結機構
３１        中間ギヤ                        ３１ａ      ラック部
３１ｂ      当接突出部                      ３１ｃ      搖動軸
３１ｄ      搖動軸                          ３１ｅ      突出部
３２        第２供給ボビン駆動軸            ３２ａ      供給ボビン駆動軸ギヤ部
３２ｂ      フランジ部                      ３２ｃ      筒状軸部
３２ｃ１    突起                            ３２ｃ２    圧入リブ
３２ｄ      環状凹凸部                      ３３        ギヤベース
３３ａ      左搖動軸ガイド孔                ３３ａ１    係止突起
３３ｂ      供給側孔                        ３３ｃ      ギヤ開口部
３３ｄ      係止爪梁                        ３３ｄ１    係止爪
３４        伝達ギヤ                        ３５        巻取ボビン駆動軸
３５ａ      ラチェットギヤ部                ３５ｂ      巻取ボビン伝達ギヤ部
３５ｃ      巻取ボビン挿入筒部              ３５ｃ１    係合リブ
３６        供給ボビン伝達ギヤ              ３６ａ      環状凹部
３６ａ１    外周壁                          ３７        第１供給ボビン駆動軸
３７ａ      軸部                            ３７ａ１    大径部
３７ａ２    小径部                          ３７ａ３    段部
３７ｂ      円弧状梁                        ３７ｃ      係合リブ
５１        左ケース                        ５１ａ      係止孔
５１ｂ      係止孔                          ５１ｃ      上面切欠部
５１ｅ      左開口部                        ５１ｆ      突条
５１ｇ      突条                            ５２        右ケース
５２ａ      係止突起                        ５２ａ１    板状部
５２ｂ      係止突起                        ５２ｂ１    板状部
５２ｃ      上面切欠部                      ５２ｅ      右開口部
５２ｆ      突条                            ５２ｇ      突条
５２ｈ      ユニットガイド                  ５２ｈ１    上ユニットガイド
５２ｈ１ａ  後角部                          ５２ｈ１ｂ  平坦部
５２ｈ１ｃ  前端面                          ５２ｈ２    下ユニットガイド
５２ｈ２ａ  後角部                          ５２ｈ２ｂ  平坦部
５２ｈ２ｃ  前端面                          ５２ｉ      長孔
５２ｊ      ガイド溝                        ５２ｋ      供給側支持軸
５２ｌ      巻取側支持軸                    ５２ｍ      伝達ギヤ支持軸
５２ｎ      右搖動軸ガイド溝                ７１        スライド駒
７１ａ      押圧部                          ７１ｂ      押圧部
７１ｃ      クッションバー                  ７１ｄ      ユニット係合部
７１ｅ      係合孔                          ８０        リフィール
８１        リフィールケース                ８１ａ      突条
８１ｂ      支持プレート                    ８１ｂ１    テープガイド
８１ｃ      支持プレート                    ８１ｃ１    テープガイド
８２        供給ボビン                      ８２ａ      係合リブ
８３        巻取ボビン                      ８３ａ      係合リブ
【図１】
2018079605.tif 000003
【図２】
2018079605.tif 000004
【図３】
2018079605.tif 000005
【図４】
2018079605.tif 000006
【図５】
2018079605.tif 000007
【図６】
2018079605.tif 000008
【図７】
2018079605.tif 000009
【図８】
2018079605.tif 000010